(57)【要約】      （修正有）【課題】新規かつ改良されたバチを提供するとともに、このバチを採用した太鼓型打楽器を提供する。【解決手段】太鼓型打楽器１００は、中空の円柱形状の胴体部１１０と、胴体部１１０の頂部に設けられる打面部１２０、１３０と、を備え、胴体部１１０には、表面から内部に向かって、バチ１５０が収容可能である。バチ１５０は、柄と柄よりも大径の頭部とを備え、頭部は、ハニカムコア構造又はトラス構造を有する。このような構成により、効果的に頭部の固有振動を減少させ、バチ１５０の小型化かつ軽量化が実現される。また、構成が簡素なため簡便かつ安価で製造できる。また、胴体部１１０にバチ１５０の柄を収容することができるので、バチ１５０の紛失及び忘失を効果的に防止することができる。【選択図】図１
0003202992.tif 000002
【実用新案登録請求の範囲】
【請求項１】
柄と前記柄よりも大径の頭部とを備え、
前記頭部は、ハニカムコア構造又はトラス構造を有することを特徴とする、バチ。
【請求項２】
中空の円柱形状又は多角形柱形状の胴体部と、前記胴体部の頂部に設けられる打面部と、を備え、
前記胴体部には、表面から内部に向かって、バチを収容可能な収容部が設けられており、
前記バチは、
柄と前記柄よりも大径の頭部とを備え、
前記頭部は、ハニカムコア構造又はトラス構造を有することを特徴とする、太鼓型打楽器。
【請求項３】
前記打面部は、前記胴体部の両端に対向するように設けられる第１の打面部と第２の打面部とからなり、
前記第１の打面部と、前記第２の打面部とでは、厚みが異なることを特徴とする、請求項２に記載の太鼓型打楽器。
【考案の詳細な説明】
【技術分野】
【０００１】
本考案は、バチ及び太鼓型打楽器に関する。
【背景技術】
【０００２】
簡易な構成で楽器の太鼓を実現した太鼓型打楽器として、特許文献１に開示されるものがある。同文献に開示される太鼓型打楽器は、太鼓の持ち運びや歩行演奏の際の労力を軽減するものであり、軽量かつ成型容易な紙素材が使われていた。この太鼓型打楽器によれば、高度な技術を必要とせずに製造することができるとともに、一定の強度を確保しつつも総重量を軽くすることが可能である。
【先行技術文献】
【特許文献】
【０００３】
【特許文献１】実用新案登録第３１９５４９５号
【考案の概要】
【考案が解決しようとする課題】
【０００４】
上記特許文献１は、これまでにない新たな太鼓型打楽器を開示するものであるところ、まだ改良の余地が残されていた。その一つとして、次のような点がある。従来の打楽器におけるマレットタイプのバチは、バチ自身の固有振動を抑えるため、頭部分は木製または樹脂製の固い素材で作られていた。そのため、楽器を振動させるのに、打面との接触部分には緩衝層を必要とし、頭部分を柔らかいフェルトや毛糸、布などでカバーしなければならなかった。それに伴い、製造に数種類の素材を用いるため、バチ全体も重くなり製造工程も多くなってしまうという問題があった。
【０００５】
そこで本考案は、このような問題に鑑みてなされたものであり、その目的とするところは、新規かつ改良されたバチを提供するとともに、このバチを採用した太鼓型打楽器を提供することにある。
【課題を解決するための手段】
【０００６】
上記課題を解決するために、本考案によれば、柄と前記柄よりも大径の頭部とを備え、前記頭部は、ハニカムコア構造又はトラス構造を有することを特徴とする、バチが提供される。なお、ハニカム（ｈｏｎｅｙｃｏｍｂ）とは英語で蜂の巣を意味し、蜂の巣のような六角形や、その他同一の立体図形（セル）を隙間なく並べた構造体をハニカムコア構造という。また、トラス（Ｔｒｕｓｓ）構造とは、三角形を基本単位として、その集合体で構成する構造をいう。
【０００７】
かかる構成によれば、バチの頭部を、ハニカムコア構造又はトラス構造を有する構成とすることにより、一つの素材だけで緩衝層を必要としない頭部分を作ることができる。このような構成により、効果的に頭部の固有振動を減少させ、バチの小型化かつ軽量化が実現される。また、構成が簡素なため簡便かつ安価で製造できる。
【０００８】
また、本考案によれば、中空の円柱形状又は多角形柱形状の胴体部と、前記胴体部の頂部に設けられる打面部と、を備え、前記胴体部には、表面から内部に向かって、バチを収容可能な収容部が設けられており、前記バチは、柄と前記柄よりも大径の頭部とを備え、前記頭部は、ハニカムコア構造又はトラス構造を有することを特徴とする、太鼓型打楽器が提供される。
【０００９】
かかる構成によれば、胴体部の表面から内部に向かって、バチ（棒状体）を収容可能な収容部を設けたことにより、この収容部に、棒状のバチの一部又は全部を収容することができる。このような収容部を設けられるのは、太鼓型打楽器ならではのメリットであり、従来の一般的な楽器としての太鼓では、このような構成とすることは不可能である。本考案によれば、太鼓型打楽器ならではの特徴を生かして、バチの紛失及び忘失を効果的に防止することができる。
【００１０】
本考案は、さまざまな応用が可能である。例えば、前記打面部は、前記胴体部の両端に対向するように設けられる第１の打面部と第２の打面部とからなり、前記第１の打面部と、前記第２の打面部とでは、厚みが異なるように構成してもよい。
【００１１】
本考案では、太鼓型打楽器として、打面部に多様な素材を用いることができる。打面部に厚めの素材を用いると音程が高くなり、薄めの素材を用いると音程が低くなる。そこで、打面部の両面にそれぞれ厚みの違う素材（例えば、段ボール）を使用すれば、音域幅のある演奏が可能となる。
【考案の効果】
【００１２】
本考案によれば、新規かつ改良されたバチ及びこのバチを採用した太鼓型打楽器を提供することが可能である。本考案のその他の効果については、以下の考案を実施するための形態の項でも説明する。
【図面の簡単な説明】
【００１３】
【図１】本考案の一実施形態にかかる太鼓型打楽器１００の構成を概略的に示す図である。
【図２】胴体部１１０を展開した状態を示す図である。
【図３】バチ１５０を示す図であり、（ａ）はバチ１５０を側方から見た図であり、（ｂ）は頭部１５４を上方から見た図である。
【図４】太鼓型打楽器１００の使用例を示す図であり、（ａ）はバチ１５０を取り出すところを示し、（ｂ）はストラップ１４０に指を掛けたところを示し、（ｃ）はバチ１５０で太鼓型打楽器１００を叩いている状態を示す。
【図５】第２の実施形態にかかるバチの一構成例（トラス構造）を示す図であり、（ａ）はスパイラル型を示し、（ｂ）はトラス構造と二重トラス構造を組み合わせたものを示す。
【考案を実施するための形態】
【００１４】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１５】
（第１の実施形態）
本考案の一実施形態にかかる太鼓型打楽器１００について説明する。まず、主に図１〜図３を参照しながら、太鼓型打楽器１００の構成について説明する。
【００１６】
図１は、太鼓型打楽器１００の構成を概略的に示す図である。太鼓型打楽器１００は、図１に示したように、中空の円柱形状の胴体部１１０と、胴体部１１０の頂部に設けられる打面部１２０、１３０と、太鼓型打楽器１００を手で保持するためのストラップ１４０と、を主に備えて構成される。そして、胴体部１１０には、表面から内部に向かって、バチ１５０が収容されることを特徴とする。
【００１７】
太鼓型打楽器１００の大きさは任意であるが、本実施形態では一例として、太鼓型打楽器１００を手のひらで保持して演奏できる大きさとして、直径１０〜１８ｃｍ程度のものとする。以下、太鼓型打楽器１００の各構成要素について順に説明する。
【００１８】
（胴体部１１０）
胴体部１１０は、図１に示したように、中空の円柱形状をしている。胴体部１１０の円柱の直径は、手のひらを広げた程度の大きさ（１０〜１８ｃｍ程度）である。胴体部１１０の内部は、図１に示したように、バチ１５０を収容するための収容部を構成している。このように本実施形態では、胴体部１１０の中空の円柱形状の内部が、バチ１５０の収容部として機能する。
【００１９】
胴体部１１０は、例えば、厚手（紙厚：０．７ｍｍ、坪量４００ｇ／ｍ２）の三層クラフト紙（ボール紙）を使用して構成することができる。胴体部１１０の内側には、稠密な縦溝が約０．８ｍｍ間隔で付されており、この縦溝によって、図１に示したように、円柱形状を形成することができる。ただし、胴体部１１０の素材はこの例に限定されず、例えば、多層紙類（段ボール類）や合成樹脂の素材で構成することもできる。
【００２０】
図２は、胴体部１１０を展開した状態を示す図である。展開した状態の胴体部１１０は、図２に示したように、長尺状の矩形であり、両端部に接合部１１８ａ、１１８ｂが形成されている。この接合部１１８ａ、１１８ｂが接合されることにより、図１に示した胴体部１１０の円柱形状が構成される。
【００２１】
展開した状態の胴体部１１０の中央部には、図２に示したように、バチ１５０を胴体部１１０内に格納するためのバチ収容用穿孔１１２が設けられ、さらにその両端にストラップ用穿孔１１４、１１６が設けられる。バチ収容用穿孔１１２には、図１に示したように、バチ１５０が挿通されて収容される。また、ストラップ用穿孔１１４、１１６には、図１に示したように、ストラップ１４０が挿通される。ストラップ１４０については、さらに後述する。
【００２２】
（打面部１２０、１３０）
打面部１２０、１３０は、図１に示したように、円盤状であり、胴体部１１０の上下の両端に対向するように設けられる。打面部１２０、１３０の円盤状の直径は、胴体部１１０のサイズに対応するものである。打面部１２０は、多層紙類（段ボール類）で構成することができる。一般的な音響スピーカーに使われている紙製コーン（抄紙振動板）のように、紙類は発声音源に適した素材である。ただし、打面部１２０を他の素材、例えば、合成樹脂やベニヤ板などで構成してもよい。
【００２３】
本実施形態では、打面部１２０と打面部１３０とでは、素材の厚みが異なるように構成される。打面部１２０、１３０に厚めの素材を用いると音程が高くなり、薄めの素材を用いると音程が低くなる。打面部１２０と打面部１３０とで厚みの違う素材を使用することで、音域幅のある演奏が可能となる。このようにして、バチ１５０で叩く面によって音の高さにバリエーションを持たせたユニークな太鼓型打楽器１００が実現できる。
【００２４】
胴体部１１０と打面部１２０、１３０との接合は、低音域を減少させて高音の響きを伸ばすため、胴体部１１０の頂部に直接、打面部１２０、１３０の周縁部（外周）を接合することにより行われる。このようにすることで、打撃振動による低周波の発生を抑制することができ、クリアな高音を得ることができる。
【００２５】
（ストラップ１４０）
ストラップ１４０は、指に掛けて太鼓型打楽器１００を保持するためのものである。ストラップ１４０の両端は、図１、図２に示したように、胴体部１１０の外側からストラップ用穿孔１１４、１１６を挿通して、胴体部１１０に取り付けられる。ストラップ１４０は、ストラップ１４０を押し込むことにより、ストラップ用穿孔１１４、１１６の外側に出ている部分を、胴体部１１０の外周に密着させることができる。
【００２６】
ストラップ１４０の素材は任意であるが、例えばナイロンコードなどを採用することができる。上述したように、打面部１２０と打面部１３０とで異なる音を出せることから、ストラップ１４０に指を通した状態で、太鼓型打楽器１００の向きを反転させることができるようにしてもよい。ストラップ１４０にこのような機能を持たせるために、適切な柔らかさ、強度などを考慮して、適切な素材を採用することができる。
【００２７】
以上、太鼓型打楽器１００の構成について説明した。次に、太鼓型打楽器１００の付属品であるバチ１５０について説明する。なお、実際に商品として市場を流通する際には、太鼓型打楽器１００とバチ１５０を個別に商取引の対象としてもよく、あるいは、太鼓型打楽器１００とバチ１５０をセットにして太鼓型打楽器として商取引の対象としてもよい。
【００２８】
（バチ１５０）
図３は、バチ１５０を示す図であり、（ａ）はバチ１５０を側方から見た図であり、（ｂ）は頭部１５４を上方から見た図である。バチ１５０は、図３（ａ）に示したように、棒状（長尺状）の柄１５２と、柄１５２よりも大径の頭部１５４とから主に構成される。
【００２９】
柄１５２は、太鼓型打楽器１００の使用者が演奏時に把持する部分である。柄１５２の材質やサイズは、使用者の持ちやすさや柄１５２のしなり具合や収容時の便宜などを考慮して決められる。例えば、柄１５２の材質は、竹製又は木製である。また、柄１５２の長さは、図１に示したように、胴体部１１０の内部に収容可能な長さであり、かつ演奏時に持ちやすい長さとし、例えば１１ｃｍ程度とすることができる。また、柄１５２の太さは、バチ収容用穿孔１１２を通ることができる太さである。例えば太さ３ｍｍ程度とすることができる。
【００３０】
頭部１５４は、図３（ａ）に示したように、柄１５２の先端に設けられる。そして、柄１５２の先端が頭部１５４の中心に挿通されることで、柄１５２と頭部１５４とが固定される。頭部１５４は、柄１５２よりも大径に構成される。例えば直径２．５ｃｍ、高さ１ｃｍ程度とすることができる。
【００３１】
すなわち、柄１５２はバチ収容用穿孔１１２を挿通できるが、頭部１５４は、バチ収容用穿孔１１２を挿通しないように構成される。これにより、柄１５２が胴体部１１０内に収容されることで、バチ１５０の紛失及び忘失を効果的に防止することができる。また、頭部１５４を柄１５２よりも大径にしたことで、頭部１５４の部分は胴体部１１０内に収容されないようにすることができ、バチ１５０を取り出しやすい。
【００３２】
また、頭部１５４は、図３（ｂ）に示したように、円柱状に成形積層した紙製ハニカムコアである。一般的な音響スピーカーに使われている紙製コーン（抄紙振動板）のように、紙素材を用いた構成においては内部損失（素材が振動を吸収する率）が大きくなり、かつ頭部の固有振動を効果的に抑えることができる。なお、ハニカム（ｈｏｎｅｙｃｏｍｂ）とは英語で蜂の巣を意味し、蜂の巣のような六角形や、その他同一の立体図形（セル）を隙間なく並べた構造体をハニカムコア構造という。頭部１５４をハニカムコアで構成することにより、軽量で弾性に富んでおり、バウンド打音を利用したかなり細かい音符の演奏が可能となる。例えば、当り鉦（あたりがね）・摺鉦（すりがね）などと称される打楽器と同様の演奏が可能となる。
【００３３】
また、頭部１５４は、ハニカムコアの周縁部に、ウレタンなどの樹脂含浸を施すことにより、打撃に対して耐久性を持たせている。以上のようにして、軽くて強度の高い頭部１５４とすることができる。
【００３４】
以上説明したように、本実施形態によれば、一般的な太鼓とバチの場合と異なり、バチ１５０を太鼓型打楽器１００に収容できることから、バチ１５０を紛失しにくい。
【００３５】
以上、本実施形態の一構成例について説明した。
次に、主に図４を参照しながら、太鼓型打楽器１００の使用方法について説明する。図４は、太鼓型打楽器１００の使用例を示す図であり、（ａ）はバチ１５０を取り出すところを示し、（ｂ）はストラップ１４０に指を掛けたところを示し、（ｃ）はバチ１５０で太鼓型打楽器１００を叩いている状態を示す。
【００３６】
太鼓型打楽器１００を使わずに保管されているときには、太鼓型打楽器１００にバチ１５０が収容されている。そして、太鼓型打楽器１００の使用時には、使用者は、図４（ａ）に示したように、バチ１５０を太鼓型打楽器１００から取り出す。
【００３７】
そして、使用者は、図４（ｂ）に示したように、片手の指にストラップ１４０を通し、手の平で太鼓型打楽器１００を支える。太鼓型打楽器１００は、上述したように、直径１０〜１８ｃｍ程度であり、ストラップ１４０を通した手のひらにより、適切に支えることができる。
【００３８】
そして、使用者は、図４（ｃ）に示したように、取り出したバチ１５０で、太鼓型打楽器１００を演奏することができる。なお上述したように、打面部１２０と打面部１３０とで厚みの違う素材を使用したことで、音域幅のある演奏が可能である。バチ１５０で叩く面によって音の高さにバリエーションを持たせることができる。
【００３９】
ストラップ１４０に指を通した状態で太鼓型打楽器１００の向きを反転させることができる場合には、打面部１２０、１３０を入れ替えることにより、音の高さを変えることができる。また、ストラップ１４０に指を通した状態で太鼓型打楽器１００の向きを反転させることができない場合には、ストラップ１４０から指を外して、太鼓型打楽器１００を反転させることもできる。
【００４０】
（第１の実施形態の効果）
以上説明したように、本実施形態によれば、胴体部１１０の表面から内部に向かって、バチ１５０を収容可能な収容部を設けたことにより、この収容部に、棒状のバチ１５０を収容することができる。このような収容部を設けられるのは、太鼓型打楽器１００ならではのメリットであり、従来の一般的な楽器としての太鼓では、このような構成とすることは不可能である。本実施形態によれば、太鼓型打楽器１００ならではの特徴を生かして、バチ１５０の紛失及び忘失を効果的に防止することができる。
【００４１】
また、打面部１２０と打面部１３０とで、厚みが異なるように構成したことにより、音域幅のある演奏が可能である。
【００４２】
また、柄１５２が収容部に収容されることで、バチ１５０の紛失を効果的に防止することができる。また、柄１５２よりも大径の頭部１５４を備えることで、頭部１５４の部分は収容部に収容されないようにすることができ、バチ１５０を収容部から取り出しやすい。さらに、頭部１５４をハニカムコアで構成することにより、軽量で弾性に富んでおり、バウンド打音を利用したかなり細かい音符の演奏が可能となる。
【００４３】
（第２の実施形態）
上記第１の実施形態では、バチ１５０の頭部１５４の構成の一例として、ハニカム型の頭部１５４について説明した（図３）。本実施形態では、バチの他の構成例について説明する。本実施形態のバチの頭部は、以下に説明するように、「トラス型」と称される構造である。主に図５を参照しながら説明する。
【００４４】
本実施形態のバチは、上記第１の実施形態で説明したバチ１５０（図３）に代わるものであり、バチの頭部の形状が異なる。本実施形態のバチの頭部は、図５（ａ）、（ｂ）に示したように、トラス構造を有する。トラス（Ｔｒｕｓｓ）構造とは、三角形を基本単位として、その集合体で構成する構造をいう。
【００４５】
トラス構造としては、図５（ａ）に示したように、三角形の部分が二重に形成される二重トラス構造や、スパイラル構造も含む。図５（ｂ）は、トラス構造の他の例であり、内側の三角形と外側の二重の三角形とを組み合わせた構造である。このように、通常のトラス構造、二重トラス構造又はスパイラル構造を組み合わせた構造としてもよい。頭部の他の特徴（形状以外の材質等）は、上記第１の実施形態の頭部１５４と実質的に同様である。
【００４６】
本実施形態によれば、軽くて強度の高いバチの頭部とすることができる。なお、本実施形態で説明した構成以外の部分については、上記第１の実施形態と実質的に同様の構成とすることができるため、重複説明を省略する。
【００４７】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００４８】
例えば、上記実施形態では、胴体部１１０が円柱形状である場合について説明したが、本考案はこれに限定されない。例えば、胴体部の形状は多角形柱形状であってもよい。この際、打面部の形状は、胴体部の形状にあわせた形状となることは言うまでもない。
【００４９】
また、上記実施形態では、素材の厚みの異なる打面部１２０と打面部１３０とからなる構成について説明したが、本考案はこれに限定されない。打面部１２０と打面部１３０は同一の素材・厚みで構成してもよい。また例えば、打面部１２０と打面部１３０のように、打面部を胴体部１１０の両端に設けず、一方の面のみを打面部とし、他方の面には打面部を設けなくてもよい。
【００５０】
また、上記実施形態では、太鼓型打楽器１００にストラップ１４０を設ける構成例について説明したが、本考案はこれに限定されず、ストラップ１４０は必ずしも設けなくてもよい。
【００５１】
また、上記実施形態では、バチ１５０の具体的な構成について説明したが、本考案はこれに限定されず、任意の構成のバチを採用することができる。なお、バチの少なくとも一部（例えば、柄の部分のみ）を太鼓型打楽器に収容してもよく、あるいは、バチの全体を太鼓型打楽器に収容してもよい。また、収容部の形状も任意である。太鼓型打楽器の内部全体が空洞であってもよく、あるいは、バチの形状に対応した形状の収容部としてもよい。
【００５２】
さらにまた、バチ１５０を外れにくくするために、収容部になんらかのロック機構を設けるようにしてもよい。また上記実施形態では、バチ１５０とストラップ１４０とは独立の構成要素として説明したが、バチ１５０とストラップ１４０とを連結させることで、バチ１５０の紛失をさらに効果的に防止するようにしてもよい。このようにして、さらにバチの紛失及び忘失を効果的に防止することができる。
【産業上の利用可能性】
【００５３】
本考案は、バチ及び太鼓型打楽器に利用可能である。
【符号の説明】
【００５４】
１００  太鼓型打楽器
１１０  胴体部
１１２  バチ収容用穿孔
１１４、１１６  ストラップ用穿孔
１１８ａ、１１８ｂ  接合部
１２０、１３０  打面部
１４０  ストラップ
１５０  バチ
１５２  柄
１５４  頭部
【図１】
0003202992.tif 000003
【図２】
0003202992.tif 000004
【図３】
0003202992.tif 000005
【図４】
0003202992.tif 000006
【図５】
0003202992.tif 000007